(57)【要約】  【課題】  ジャックが実装された基板が配置された筐体とジャックの前部が挿入されたジャックボードを固定することによって、ジャックが前後左右にぐらつくことを防止でき、ジャックの取り付け強度を上げることができて基板のパターンの剥離を無くすことができ、更に、基板上のスペースを広く取ることがないジャックの固定構造を提供する。【解決手段】  合成樹脂製の筐体１内に基板２とジャックボード３とＶＣＲデッキ４が配置され、基板２にはジャック５が実装されてジャック５の前部５ａがジャックボート３に挿入され、ＶＣＲデッキ４に先端が筐体１とジャックボート３に取り付けられる金属製のバー６が設けられ、バー６によって筐体１とジャックボード３が補強され、ジャック５への端子の抜き差しの際に筐体１とジャックボード３とジャック５のぐらつきが防止されてジャック５が実装されている基板２のパターンの剥離を防ぐようにした。【選択図】  図１
2008282564.tif 000002
【特許請求の範囲】
【請求項１】
合成樹脂で形成された筐体内に基板とジャックボードとＶＣＲデッキが配置され、前記基板にはジャックが実装されてこのジャックの前部が前記ジャックボートに挿入され、前記ジャックの取り付け強度を上げるようにしたジャックの固定構造において、前記ＶＣＲデッキに先端が前記筐体とジャックボートに取り付けられる金属製のバーが設けられ、このバーによって前記筐体と前記ジャックボードが補強されて、前記ジャックへの端子の抜き差しの際に、前記筐体と前記ジャックボードと前記ジャックのぐらつきが防止されて前記ジャックが実装されている前記基板のパターンの剥離を防ぐように構成したことを特徴とするジャックの固定構造。
【請求項２】
前記バーの先端には、前記筐体と前記ジャックボードに形成された取り付け用凹部に十字状に嵌め入れられる凹部が形成されている請求項１に記載のジャックの固定構造。
【請求項３】
前記バーは前記ＶＣＲデッキと別体に構成され、その端部が固定手段によって前記ＶＣＲデッキの縦壁部に取り付け固定されている請求項１又は２に記載のジャックの固定構造。
【請求項４】
前記固定手段は、前記バーの端部と前記ＶＣＲデッキの縦壁部とを取り付け固定するビスからなる請求項３に記載のジャックの固定構造。
【請求項５】
前記固定手段は、前記バーの端部に突設され、前記ＶＣＲデッキの縦壁部に形成された係止穴に係入係止される係止爪からなる請求項３に記載のジャックの固定構造。
【請求項６】
前記バーは、前記ＶＣＲデッキの縦壁部と一体に形成されている請求項１又は２に記載のジャックの固定構造。
【発明の詳細な説明】
【技術分野】
【０００１】
本発明は、合成樹脂で形成された筐体内に基板とジャックボードとＶＣＲデッキが配置され、基板にはジャックが実装されてこのジャックの前部がジャックボートに挿入され、ジャックの取り付け強度を上げるようにしたジャックの固定構造に関するものである。
【背景技術】
【０００２】
従来のジャックの固定構造は、図４に示すように、合成樹脂製の筐体１０１内に配置された基板１０２に実装されたジャック１０３は、筐体１０１内のジャックボード１０４に前部が挿入されていた。尚、図４において、符号１０５は、筐体１０１内に配置されたＶＣＲデッキである。ところが、筐体１０１が合成樹脂製であるために、ジャック１０３に外側から端子（図示略）を抜き差しすると、筐体１０１とジャックボード１０４とジャック１０３がぐらついて基板１０２のパターンが剥離するという問題があった。
【０００３】
第１の従来技術を図５（ａ）（ｂ）に示す。この従来のジャックの取付構造は、図５（ａ）（ｂ）に示すように、シャーシ２０２上にプリント基板２０３を配設し、このプリント基板２０３上にプラグ２０６が接続されるジャック２０４を配設すると共にプリント基板２０３のジャック２０４の後方部分に開口２１０を設け、シャーシ２０２に切起片２１１を設けて開口２１０よりプリント基板２０３の上方に突出させてジャック２０４の背面に当接させた。（例えば、特許文献１参照）。
【０００４】
ところが、これにおいては、シャーシ２０４に設けられた切起片２１１がプリント基板２０３の開口２１０に挿入されており、プリント基板２０３に開口２１０を形成しなくてはならないから、プリント基板２０３に開口２１０を形成するための広いスペースを必要とするという問題があり、また、ジャック２０２が横向きのひずみに対して弱いという問題があった。
【０００５】
第２の従来技術を図６（ａ）（ｂ）に示す。この従来のＤＣジャックの固定構造は、図６（ａ）（ｂ）に示すように、面実装型ＤＣジャック３１０の上方に配置される樹脂部品３２０の一部を、ＤＣジャック３１０を覆う被覆３２１形状とし、この被覆３２１の内面にＤＣジャック３１０の外面に当接するリブ３２２を設け、ＤＣジャック３１０をこじれに対して保護し、半田付け部３１１の損傷を防止する。（例えば、特許文献２参照）。
【０００６】
ところが、これにおいては、樹脂部品３２０が動くと面実装型ＤＣジャック３１０も動いてしまうという問題があった。
【特許文献１】実開平１−１７４８８３号公報
【特許文献２】特開２００４−８７１８８号公報
【発明の開示】
【発明が解決しようとする課題】
【０００７】
本発明は、上記従来の問題に鑑みてなされたものであって、ジャックが実装された基板が配置された筐体とジャックの前部が挿入されたジャックボードを固定することによって、ジャックが前後左右にぐらつくことを防止することができ、ジャックの取り付け強度を上げることができて基板のパターンの剥離を無くすことができ、更に、基板上のスペースを広く取ることがないジャックの固定構造を提供することを目的としている。
【課題を解決するための手段】
【０００８】
本発明は、上記課題を解決するために提案されたものであって、請求項１に記載の発明は、合成樹脂で形成された筐体内に基板とジャックボードとＶＣＲデッキが配置され、前記基板にはジャックが実装されてこのジャックの前部が前記ジャックボートに挿入され、前記ジャックの取り付け強度を上げるようにしたジャックの固定構造において、前記ＶＣＲデッキに先端が前記筐体とジャックボートに取り付けられる金属製のバーが設けられ、このバーによって前記筐体と前記ジャックボードが補強されて、前記ジャックへの端子の抜き差しの際に、前記筐体と前記ジャックボードと前記ジャックのぐらつきが防止されて前記ジャックが実装されている前記基板のパターンの剥離を防ぐように構成したことを特徴としている。
【０００９】
請求項２に記載の発明は、請求項１に記載の発明において、前記バーの先端には、前記筐体と前記ジャックボードに形成された取り付け用凹部に十字状に嵌め入れられる凹部が形成されている。
【００１０】
請求項３に記載の発明は、請求項１又は２に記載の発明において、前記バーは前記ＶＣＲデッキと別体に構成され、その端部が固定手段によって前記ＶＣＲデッキの縦壁部に取り付け固定されている。
【００１１】
請求項４に記載の発明は、請求項３に記載の発明において、前記固定手段は、前記バーの端部と前記ＶＣＲデッキの縦壁部とを取り付け固定するビスからなるものである。
【００１２】
請求項５に記載の発明は、請求項３に記載の発明において、前記固定手段は、前記バーの端部に突設され、前記ＶＣＲデッキの縦壁部に形成された係止穴に係入係止される係止爪からなるものである。
【００１３】
請求項６に記載の発明は、請求項１又は２に記載の発明において、前記バーは、前記ＶＣＲデッキの縦壁部と一体に形成されている。
【発明の効果】
【００１４】
請求項１に記載の発明によれば、ＶＣＲデッキに設けられた金属製のバーの先端が筐体とジャックボードに取り付けられるようにしているから、ジャックに端子を抜き差しする際に、筐体とジャックボードのぐらつきが防止されることにより、筐体内に配置された基板に実装されて前部がジャックボードに挿入されたジャックのぐらつきも防止される。これにより、ジャックの取り付け強度を上げることができ、ジャックが実装された基板のパターンの剥離を無くすことができ、しかも基板上のスペースを広く取ることがない。
【００１５】
請求項２に記載の発明によれば、バーの先端に、筐体とジャックボードに形成された取り付け用凹部に十字状に嵌め入れられる凹部が形成されていることにより、このバーの凹部が筐体とジャックボードの取り付け用凹部に十字状に嵌め入れられるから、筐体とジャックボードが前後左右にぐらつくことを防止される。従って、筐体内に配置された基板に実装され、前部がジャックボードに挿入されたジャックの前後左右のぐらつきが無くなって基板のパターンの剥離をより一層無くすことができる。
【００１６】
請求項３に記載の発明によれば、バーとＶＣＲデッキとが別体に構成され、その端部が固定手段によってＶＣＲデッキの縦壁部に取り付け固定されているから、バーを簡単且つ強固にＶＣＲデッキの縦壁部に取り付け固定できる。従って、バーの先端に取り付け固定された筐体とジャックボードのぐらつきが防止され、基板に実装されたジャックのぐらつきを防ぐことができ、ジャックの取り付け強度を上げることができて基板のパターンの剥離を無くすことができる。
【００１７】
請求項４に記載の発明によれば、固定手段がバーの端部とＶＣＲデッキの縦壁部とを取り付け固定するビスであるから、安価なビスで取り付け固定できてコストダウンを図れる。
【００１８】
請求項５に記載の発明によれば、固定手段がバーの端部に突設され、ＶＣＲデッキの縦壁部に形成された係止穴に係入係止される係止爪からなるものであるから、部品点数を少なくすることができ、より一層コストダウンを図ることができる。
【００１９】
請求項６に記載の発明によれば、バーがＶＣＲデッキの縦壁部と一体に形成されているから、バーの強度を上げることができ、部品点数を削減することができてコストダウンを図れ、バーの取り付け作業を必要としないことにより作業工程を少なくすることができる。
【発明を実施するための最良の形態】
【００２０】
以下、本発明に係るジャックの固定構造の実施の形態について、図を参照しつつ説明する。
【００２１】
図１は本発明の第１実施形態のジャックの固定構造を示し、（ａ）はその斜視図、（ｂ）はそのバーと筐体及びジャックボードの取り付けの構成を示す部分斜視図、（ｃ）はそのジャックの取り付け状態を示す部分断面図、図２はバーとＶＣＲデッキの縦壁部との取り付けの別例を示す断面図である。
【００２２】
この第１実施形態のジャックの固定構造は、図１（ａ）に示すように、合成樹脂で形成された筐体１内に基板２とジャックボード３とＶＣＲデッキ４とが配置され、基板２に実装されたジャック５が図１（ｃ）に示すように、その前部５ａがジャックボード３の挿入穴３ａに挿入されている。ＶＣＲデッキ４の縦壁部４ａには金属製のバー６の端部がビス７で取り付け固定されている。この金属製のバー６の先端には、図１（ｂ）に示すように、筐体１とジャックボード３に形成された取り付け用凹部１ａ、３ｂに十字状に嵌め入れられる凹部６ａ、６ｂが形成されている。
【００２３】
従って、この第１実施形態によれば、ＶＣＲデッキ４にビス７で取り付けられた金属製のバー６の先端が筐体１とジャックボード３に取り付けられるようにしているから、筐体１とジャックボード３のぐらつきが防止されることにより、筐体１内に配置された基板２に実装されて前部５ａがジャックボード３に挿入されたジャック５のぐらつきも防止される。これにより、ジャック５の取り付け強度を上げることができ、ジャック５が実装された基板２のパターンの剥離を無くすことができ、しかも基板２上のスペースを広く取ることがない。
【００２４】
また、バー６の先端に、筐体１とジャックボード３に形成された取り付け用凹部１ａ、３ｂに十字状に嵌め入れられる凹部６ａ、６ｂが形成されていることにより、このバー６の凹部６ａ、６ｂが筐体１とジャックボード３の取り付け用凹部１ａ、３ｂに十字状に嵌め入れられるから、筐体１とジャックボード３が前後左右にぐらつくことを防止される。従って、筐体１内に配置された基板２に実装され、前部５ａがジャックボード３の挿入穴３ａに挿入されたジャック５の前後左右のぐらつきが無くなって基板２のパターンの剥離をより一層無くすことができる。
【００２５】
また、図２に示すように、ビス７の代わりにバー６の端部に突設された係止爪６ｃをＶＣＲデッキ４の縦壁部４ａの係止穴４ｂに係入係止することによって、バー６をＶＣＲデッキ４に取り付け固定するようにしてもよい。これによれば、ビス７等を使用しないから、部品点数を少なくすることができ、より一層コストダウンを図ることができる。
【００２６】
図３は第２実施形態のジャックの固定構造を示す斜視図である。
【００２７】
この第２実施形態のジャックの固定構造は、図３に示すように、バー６ＡがＶＣＲデッキ４の縦壁部４ａと一体に形成され、その先端が筐体１とジャックボード３に取り付けられている。従って、この第２実施形態によれば、バー６ＡがＶＣＲデッキ４の縦壁部４ａと一体に形成されているから、バー６Ａの強度を上げることができ、部品点数を削減することができてコストダウンを図れ、バー６Ａの取り付け作業を必要としないことにより作業工程を少なくすることができる。
【図面の簡単な説明】
【００２８】
【図１】本発明の第１実施形態のジャックの固定構造を示し、（ａ）はその斜視図、（ｂ）はそのバーと筐体及びジャックボードの取り付けの構成を示す部分斜視図、（ｃ）はそのジャックの取り付け状態を示す部分断面図である。
【図２】バーとＶＣＲデッキの縦壁部との取り付けの別例を示す断面図である。
【図３】第２実施形態のジャックの固定構造を示す斜視図である。
【図４】従来のジャックの固定構造を示す斜視図である。
【図５】従来のジャックの取付構造を示し、（ａ）はその側面断面図、（ｂ）はその部分平面図である。
【図６】従来のＤＣジャックの固定構造を示し、（ａ）はその斜視図、（ｂ）はその部分断面図である。
【符号の説明】
【００２９】
１        筐体
１ａ      取り付け用凹部
２        基板
３        ジャックボード
３ａ      挿入穴
３ｂ      取り付け用凹部
４        ＶＣＲデッキ
４ａ      縦壁部
４ｂ      係止穴
５        ジャック
５ａ      前部
６        金属製のバー
６Ａ      バー
６ａ      凹部
６ｂ      凹部
６ｃ      係止爪
７        ビス
【図１】
2008282564.tif 000003
【図２】
2008282564.tif 000004
【図３】
2008282564.tif 000005
【図４】
2008282564.tif 000006
【図５】
2008282564.tif 000007
【図６】
2008282564.tif 000008